(57)【要約】      （修正有）【課題】交換レンズの種類をより早く判別が可能な撮像装置を提供する。【解決手段】第一の動作モードで通信可能な第一の交換レンズ２と、第二のモードでも通信可能な第二の交換レンズ２とが選択的に装着可能で、交換レンズ２に電源を供給する端子３ａと、交換レンズ２の装着を検出する端子３ｅと接地端子３ｆを備え、交換レンズ２の装着を検出する端子３ｅの端子電圧の変化により、交換レンズ２の装着を検出する装着検出部４ａと、交換レンズ２の装着を検出する端子３ｅの端子電圧を確認する電圧検出部４ｂを有し、装着検出部４ａが、交換レンズ２の装着を検出した後に、電圧検出部４ｂが、交換レンズ２の装着を検出する端子３ｅの電圧を確認し、交換レンズ２の装着を検出する端子３ｅの電圧が、第一の電圧以下の場合は、第一の交換レンズと判別し、交換レンズ２を装着する端子３ｅの電圧が、第一の電圧よりも大きい場合は、第二の交換レンズと判別する。【選択図】図１（Ａ）
2018101079.tif 000002
【特許請求の範囲】
【請求項１】
第一の動作モードで通信可能な第一の交換レンズ(2)と、前記第一のモードと第一のモードと異なる第二の動作モードで通信可能な第二の交換レンズ(2)とが選択的に装着可能な撮像装置(1)であって、
前記撮像装置(1)は、交換レンズ(2)に電源を供給する端子(3a)と、交換レンズの装着を検出する端子(3e)と接地端子(3f)を備え、
前記交換レンズの装着を検出する端子(3e)はプルアップ抵抗(R1)を介して、プルアップ電源(VDD)でプルアップされていて、前記交換レンズの装着を検出する端子(3e)の端子電圧の変化により、前記交換レンズ(2)の装着を検出する装着検出部(4a)と、前記交換レンズの装着を検出する端子(3e)の端子電圧を確認する電圧検出部(4b)を有し、
前記装着検出部(4a)が、前記交換レンズ(2)の装着を検出した後に、前記電圧検出部(4b)が、前記交換レンズの装着を検出する端子(3e)の電圧を確認し、交換レンズの装着を検出する端子(3e)の電圧が、第一の電圧以下の場合は、第一の交換レンズであると判別し、
前記交換レンズを装着する端子(3e)の電圧が、第一の電圧よりも大きい場合は、第二の交換レンズであると判別する事を特徴とした撮像装置(1)。
【請求項２】
前記、第二の交換レンズの、交換レンズの装着を検出する端子(3e)と接地端子(3f)間の端子間抵抗(R2)の抵抗値は、前記交換レンズの装着を検出する端子(3e)の端子電圧が、前記交換レンズ(2)が装着可能な撮像装置(1)の前記装着検出部（4a）で装着検出が可能な電圧値になるような抵抗値である事を特徴とし、
前記第一の交換レンズと第二の交換レンズを判別するための閾値となる電圧は、前記第二の交換レンズが装着可能な撮像装置(1)の前記プルアップ抵抗(R1)の最大値であるR1’と、前記端子間抵抗(R2)との関係から、プルアップ電源(VDD)×プルアップ抵抗(R2)/(R1’+プルアップ抵抗(R2))以下となる事を特徴とした、請求項1に記載の撮像装置。
【請求項３】
前記撮像装置(1)が、レンズの種類を判別した後に、第二の交換レンズ(2)の、交換レンズの装着を検出する端子(3e)と接地端子(3f)間の抵抗値R2を、R2よりも低い抵抗値に切り替える切り替え部（13）を持つ事を特徴とする請求項1または2に記載の撮像装置(1)。
【発明の詳細な説明】
【技術分野】
【０００１】
本発明は、撮像装置に関し、特に第一の通信モードで通信可能な交換レンズと、第一の通信モードと、第二の通信モードで通信可能な交換レンズが選択的に装着可能な撮像装置に関するものである。
【背景技術】
【０００２】
撮像装置に装着される交換レンズは、撮像装置から電圧の供給を受けて動作している。ただし、交換レンズはその種類によって動作電圧が異なる場合や対応可能な通信方式が異なる場合がある。異なる複数の種類の交換レンズを撮像装置に装着できるようにするため、装着された交換レンズの種類を判別する技術が開示されている。
【０００３】
例えば、特許文献１では、撮像装置が交換レンズに、全ての種類の交換レンズが対応可能な第一の通信を行い、第一の通信モードと異なる第二の通信モードに対応可能であるか判別している。
【０００４】
特許文献2では、撮像装置と交換レンズとの接続部に、交換レンズの種類を判別するための専用端子をそなえ、交換レンズ装着時、交換レンズの種類を判別する端子の電圧を撮像装置で確認し、交換レンズの種類を判別している。
【先行技術文献】
【特許文献】
【０００５】
【特許文献１】特開2012-128203号公報
【特許文献２】特開2014-134807号公報
【発明の概要】
【発明が解決しようとする課題】
【０００６】
しかしながら、前述の特許文献1に開示された従来技術は、撮像装置から交換レンズに一度電源を供給した後に、第一の通信モードでレンズ種類の判別を行うため、第二の通信モードで通信を行えるようになるまで所定の時間を要してしまう。
【０００７】
一方で、特許文献2に開示された従来技術では、撮像装置に交換レンズを装着した際に、レンズの種類を判別する事ができるため、通信開始時から、最適な通信モードで通信を行う事が可能である。しかし、交換レンズの種類を判別するために、レンズ種類判別専用の端子を備える必要があり、レンズ種類判別用の専用端子を持たない従来のマウントを持つ撮像装置や交換レンズとの互換性が失われてしまう。
【０００８】
そこで本発明の目的は、撮像装置に交換レンズを装着した際に、交換レンズの種類をより早く判別が可能な撮像装置を提供する事である。また、本発明の他の目的は、従来のマウントを持つ撮像装置や交換レンズとの互換性を維持しつつ、撮像装置に交換レンズを装着した際に、交換レンズの種類をより早く判別が可能な撮像装置を提供する事である。
【課題を解決するための手段】
【０００９】
第一の動作モードで通信可能な第一の交換レンズ(2)と、前記第一のモードと第一のモードと異なる第二の動作モードのうち少なくとも第二のモードで通信可能な第二の交換レンズ(2)とが選択的に装着可能な撮像装置(1)であって、
前記撮像装置(1)は、交換レンズ(2)に電源を供給する端子(3a)と、交換レンズの装着を検出する端子(3e)と接地端子(3f)を備え、
前記交換レンズの装着を検出する端子(3e)の端子電圧の変化により、前記交換レンズ(2)の装着を検出する装着検出部(4a)と、前記交換レンズの装着を検出する端子(3e)の端子電圧を確認する電圧検出部(4b)を有し、
前記装着検出部(4a)が、前記交換レンズ(2)の装着を検出した後に、前記電圧検出部(4b)が、前記交換レンズの装着を検出する端子(3e)の電圧を確認し、交換レンズの装着を検出する端子(3e)の電圧が、第一の電圧以下の場合は、第一の交換レンズであると判別し、
前記交換レンズを装着する端子(3e)の電圧が、第一の電圧よりも大きい場合は、第二の交換レンズであると判別する事を特徴とした。
【発明の効果】
【００１０】
従来のマウントを持つ撮像装置や交換レンズとの互換性を維持しつつ、撮像装置に交換レンズを装着した際に、交換レンズの種類をより早く判別が可能な撮像装置を提供する事ができる。
【図面の簡単な説明】
【００１１】
【図１（Ａ）】本発明の実施例1における撮像装置1（以下、カメラ1という）と交換レンズ2のブロック図、
【図１（Ｂ）】電圧供給部6の詳細を示す図。
【図２】本発明の実施例におけるカメラ1と交換レンズ2において、カメラ1が交換レンズ2の装着を検知してから、VDD端子電圧の設定が完了し、カメラ1と交換レンズ2が通信を開始するまでの動作を示すフローチャート。
【図３】本発明の実施例におけるカメラ1と交換レンズ2における、MIF端子3e、VDD端子3a、カメラマイコン4から出力される制御信号DIS_ONの動作を示すタイムチャート。
【図４】本発明の実施例におけるレンズ種類の判別の処理の流れを示すフローチャート。
【図５】本発明の実施例2における交換レンズ2のMIF端子抵抗切替の処理の流れを示すフローチャート。
【発明を実施するための形態】
【００１２】
以下、本発明の好ましい実施の形態を、添付の図面に基づいて詳細に説明する。なお、以下に説明する実施の形態は、本発明の実現手段としての一例であり、本発明が適用される装置の構成や各種条件によって適宜修正又は変更されても良い。また、各実施の形態は適宜組み合わされることも可能である。
【００１３】
［実施例1］
図1(A)は、本発明に係るカメラ1と交換レンズ2のブロック図である。カメラ1と交換レンズ2は互いを電気的に接続するマウント3をそれぞれ有する。
【００１４】
＜マウント3の構成＞
マウント3はVDD端子3aと、LCLK端子3bと、DCL端子3cと、DLC端子3dと、MIF端子3eと、GND端子3fを備えている。VDD端子3aはカメラ1から交換レンズ2に電源を供給するための端子である。LCLK端子3b、DCL端子3c、DLC端子3dはカメラ1と交換レンズ2の間で通信を行うための端子である。LCLK端子3bはカメラ1から交換レンズ2へ出力するクロック信号用の端子である。DCL端子3cはカメラ1から交換レンズ2へのデータ信号用の端子である。DLC端子3dは交換レンズ2からカメラ1へのデータ信号用の端子である。MIF端子3eはカメラ1に交換レンズ2が装着されたことを検知するための端子である。GND端子3fは接地端子である。
【００１５】
カメラ1に交換レンズ2が装着されている時は、非図示の第一の通信モードにのみ対応の交換レンズ2はMIF端子3eとGND端子3fとが導通し、図1の第一及び第二の通信モードに対応の交換レンズ2は、MIF端子3eとGND端子3fが抵抗R2を介して導通する。
【００１６】
本発明に係るカメラ1と交換レンズ2間の通信は、500kHzの通信速度、5Vの通信レベルで行う第一の通信モードと、5MHzの通信速度、3.3Vの通信レベルで行う第二の通信モードがある事と定義する。
【００１７】
＜カメラ１の構成＞
カメラ1の内部には、カメラマイコン4と、カメラ電源生成部5と、電圧供給部6と、レベルシフタ部（カメラ側）7と、電圧測定部11と、電流検出部12がある。カメラマイコン4は、例えばＣＰＵのようなマイコンであり、カメラ1内の各部の動作を制御する。また、レベルシフタ部（カメラ側）7、マウント3、レベルシフタ部（レンズ側）10を介して、交換レンズ2内のレンズマイコン8と通信を行う。
【００１８】
また、カメラマイコン4内には、MIF端子3eの信号レベルの変化を検出し、レンズ装着検知を行う/MIFON端子4aと、信号レベルをA/D変換し、レンズ種類の判別を行うMIF_MON端子4bを備えている。前記/MIFON端子4aとMIF_MON端子4bに入力されるMIF端子3eの信号は、カメラ1内で3.3VにR1でプルアップされている。本実施例ではR1=10kΩとする。
【００１９】
カメラ電源生成部5は、例えばスイッチングレギュレータやリニアレギュレータのような電源回路であり、カメラ1内の各回路の動作に必要な電源や、VDD端子3aを介して交換レンズ2に供給する電源を生成する。電圧供給部6はVDD端子3aに電源を供給する。また、VDD端子3aの電圧の切替を行う。電圧供給部6の構成の詳細は後述する。
【００２０】
レベルシフタ部（カメラ側）7は、例えばレベルシフト回路であり、カメラマイコン4から出力される3.3Vのクロック信号およびデータ信号を、電圧供給部6から出力されるVDD端子3aの電圧と同じ電圧に変換して、LCLK端子3b、DCL端子3cに出力する。また、VDD端子3aと同じ電圧でDLC端子3dから入力されるデータ信号を、カメラマイコン4に入力可能な3.3Vの電圧に変換する。
【００２１】
電圧検出部11は、例えばコンパレータを含む回路で構成され、VDD端子3aの電圧が所定値になった事を検出し、カメラマイコン4に通知する。また電圧検出部11は、カメラマイコンのA/D変換端子で直接VDD端子3aの電圧を確認する構成としても良い。電流測定部12は、例えばシャント抵抗を含む回路で構成され、VDD端子3aに流れ込む電流値を電圧に変換し、カメラマイコン4のA/D端子へ出力する。カメラマイコン4はA/D端子へ入力された電圧を確認することでVDD端子3aに流れ込む電流値を測定することができる。
【００２２】
＜交換レンズ2の構成＞
交換レンズ2の内部には、レンズマイコン8と、レンズ電源生成部9と、レベルシフタ部（レンズ側）10によって構成される。レンズマイコン8は、例えばＣＰＵのようなマイコンであり、レンズ内の各部の動作を制御する。また、レベルシフタ部10、マウント3、レベルシフタ部7を介して、カメラ1内のカメラマイコン4と通信を行う。レンズ電源生成部9は、例えばスイッチングレギュレータやリニアレギュレータのような電源回路であり、VDD端子3aに供給される電源から、レンズ内の各回路の動作に必要な電源を生成する。
【００２３】
レベルシフタ部（レンズ側）10は、例えばレベルシフト回路であり、レンズマイコン8から出力される3Vのデータ信号を、VDD端子3aから供給される電圧に変換して、DLC端子3cに出力する。また、VDD端子3aと同じ電圧でLCLK端子3bから入力されるクロック信号と、DCL端子3cから入力されるデータ信号を、レンズマイコン8に入力可能な3Vの電圧に変換する。
【００２４】
＜電圧供給部6の構成＞
図1（B）は、図1（A）に示すカメラ1内の電圧供給部6を示す図である。電圧供給部6は電圧切替部20と、ディスチャージ部21と、抵抗値選択部22を有する。電圧切替部20はスイッチ20a、スイッチ20bを有する。スイッチ20aはカメラマイコン4からの制御信号SWA_ONによってオンオフが制御される。、スイッチ20bはカメラマイコン4からの制御信号SWB_ONによってオンオフが制御される。電圧切替部20には、図1（A）の電源生成部5から5Vの電圧と、3.3Vの電圧がそれぞれ入力され、スイッチ20a、スイッチ20bの一方のみをオンにして、入力された電圧の内どちらか一方をVDD端子3aに供給する。
【００２５】
また、スイッチ20a、スイッチ20bを両方オフにすることで、VDD端子3aに供給する電圧を遮断することができる。ディスチャージ部21は、電圧切替部20によって電圧を5Vから3.3Vに切り替える際、VDD端子3aに接続される交換レンズ2の非図示の負荷容量に充電された電荷を放電する。ディスチャージ部21は抵抗値の異なる複数のディスチャージパスを備え、どのパスでディスチャージを行うかを抵抗値選択部22によって設定される。
【００２６】
抵抗値選択部22は、例えばレジスタとCMOS論理回路から構成され、カメラマイコン４からの制御信号DIS_SELを受け、ディスチャージ部21に備えられた抵抗値の異なる複数のディスチャージパスの内、どのパスでディスチャージを行うかを設定する。また、カメラマイコン4からの制御信号DIS_ONを受け、DIS_ON信号がHレベルの時のみディスチャージを行うようにディスチャージ部21を制御する。
【００２７】
＜カメラ1に交換レンズ2が装着された時の通信開始までの処理の流れ＞
続いて、図2を用いて、本発明の実施例におけるカメラ1に交換レンズ2が装着された時の通信開始までの処理の流れについて説明する。図2は、本発明の実施例1に係るカメラ1と交換レンズ2において、カメラ１が交換レンズ2の装着を検知してから、VDD端子3aに供給する電圧を決定して通信を開始するまでの動作を示すフローチャートである。このフローチャートに示される処理は、カメラ1の電源がオンになる事に応じて開始される。
【００２８】
図3は、本発明の実施例1に係るカメラ1と交換レンズ2における、MIF端子3e、VDD端子3a、電圧供給部6内の制御信号DIS_ONのタイムチャートである。はじめに、図2のS101（図3のt101に対応）では、カメラマイコン4はMIF端子3eがGND端子3fと導通したことで、/MIFON端子4aの入力レベルがLレベルになったかを判定する。S101で、カメラマイコンが/MIFON端子4aの入力レベルがLレベルになった事を検出すると、交換レンズ2が装着されたことを検知し、次のS102へ進む。
【００２９】
次に、図2のS102（図3のt102に対応）では、電圧供給部６は、VDD端子3aに5Vの電圧を供給開始する。図2のS103では、図3の t102でカメラマイコン4がVDD端子3aに5Vの電圧を供給開始してから、図3のt103で電圧検出部11がVDD端子電圧3aの電圧が5Vに達したことを検知するまでの時間tchgを、カメラマイコン4が計時する。また、カメラマイコン4は、図3のt102からt103の期間に、VDD端子電圧3aに流れ込む電流値を電流測定部12によって定期的に測定し、その平均値Ichgを算出する。
【００３０】
図2のS104では、S103で計時した時間tchgと、S103で測定した電流値Ichgを、以下の式(1)に代入して交換レンズ2の負荷容量値Cを算出する。ただし、V1は充電後の電圧(5V)を表す。
C = ( Ichg × tchg ) / V1        (1)
図2のS105では、装着された交換レンズ2が第一の通信モードのみ対応の交換レンズであるか、第一及び第二の通信モード対応の交換レンズであるかを判別する。S105のレンズ種類の判別の詳細は後述する。
【００３１】
次に、S106では、カメラマイコン4はS105で装着された交換レンズ2が第一の通信モードのみ対応可能である場合と判別した場合は、VDD端子3aの電圧は5Vのままにして電圧の設定を完了する。その後、カメラ1と交換レンズ2は5Vで第一の通信モードで通信を開始する。
【００３２】
一方、カメラマイコン4は装着された交換レンズ2が第一と第二の両方の通信モードに対応可能な交換レンズであると判別した場合は、図2のS107で、電流測定部12が交換レンズ2の負荷電流値ILを測定する。
【００３３】
次に、S108では、カメラマイコン4は目標の時間ｔswでVDD端子3aの電圧を第一の通信モード電圧である5Vから第二の通信モード電圧である3.3Vへ切り替えるためにカメラ1内のディスチャージ部21でディスチャージする必要がある電流値Idisを算出する。算出には、以下の式(2)を用いる。ただし、CはS104で算出した交換レンズの負荷容量値を、V1は電圧切替前の電圧（5V）を、V2は電圧切替後の電圧（3.3V）を、IL はS107で検出した交換レンズ2の負荷電流を表す。
Idis= {C × （V1 - V2）}  / ｔsw - IL       （2）
【００３４】
次に、S109では、カメラマイコン４は、ディスチャージ部21に用意された複数の異なる抵抗値のディスチャージパスの内、図2のS108で算出した電流値に最も近い電流を流すことのできる抵抗値でディスチャージを行うように抵抗値選択部22の設定を行う。ただし、図2のS108で算出した電流値の計算結果が0以下である場合は、ディスチャージ部21は電圧切替時にディスチャージは行わないようにする。ここで、ディスチャージ部21及び抵抗値選択部22の特徴について説明する。
【００３５】
ディスチャージ部21には、負荷容量Cが想定される最大値かつ、負荷電流ILが想定される最小値の交換レンズ2でも、目標の時間tswで電圧切替が行えるような抵抗値を備える必要がある。例えば、本実施例では交換レンズ2の負荷容量Cの最大値の想定が100uF、負荷電流ILの最小値の想定が0mAとした場合、式(2)より目標の時間tswで電圧切替を行うために約170mAの電流を流すことができる抵抗値を選択できるようにする必要がある。
【００３６】
よって、ディスチャージ部21は、最少0mAから最大約170mAのディスチャージ電流Idisを流せるような抵抗値を切り替えられる構成を持つ事を特徴としている。抵抗値選択部22は、ディスチャージ部の抵抗を切替えて複数の抵抗値及びディスチャージ電流Idisが設定できる特徴を持つ。本実施例におけるディスチャージ部21及び抵抗値選択部22で選択可能なディスチャージ電流Idisと抵抗値のテーブルの例を表1に示す。例えば、S109でカメラマイコン4がIdis=120mAと計算した場合、カメラマイコン4は表１のテーブルを参照し、抵抗値選択部22の設定を表１設定1に設定する。
【００３７】
【表１】
2018101079.tif 000003
【００３８】
次に、S110（図3のt109に対応）では、電圧切替部20はVDD端子3aに供給する電圧を5Vから3.3Vに切り替える。同時に、カメラマイコン4はDIS_ONをHレベルにして、ディスチャージ21は、抵抗値選択部22により設定された抵抗値のパスでディスチャージを開始する。
【００３９】
次にS111（図3のt110に対応）では、カメラマイコン4がディスチャージの開始から一定時間が経過したことを計時した後、DIS_ONをLレベルにして、ディスチャージ部21はディスチャージを停止する。
【００４０】
以上によりVDD端子3aの電圧設定が完了し、その後、カメラ1と交換レンズ2は3.3Vの通信を開始する。
【００４１】
以上が、本発明の実施例におけるカメラ1に交換レンズ2が装着された時の通信開始までの処理の流れの説明である。
【００４２】
＜レンズ種類の判別の処理の流れ＞
次に、図４を用いて、S105で定義された、本発明の実施例における、カメラ1に装着された交換レンズ2の種類判別について説明する。
【００４３】
本発明の実施例における、交換レンズ2のMIF端子3eとGND端子3f間の構成について説明する。
【００４４】
第一の通信モードのみ対応可能な交換レンズ2は、MIF端子3eとGND端子3f間は配線のみで構成されており、端子間の抵抗成分をR2と定義すると、R2は配線抵抗と接触抵抗のみのためR2は非常に小さい値であると考える事ができる。本実施例では第一の通信モードのみ対応可能な交換レンズ2のR2は最大0.4Ωとする。
【００４５】
第二の通信モードに対応可能な交換レンズ2は、MIF端子3eとGND端子3f間に所定の抵抗値を持つ部品、例えばチップ抵抗を配置しており、R2は配線抵抗と接触抵抗及び前記チップ抵抗の和となる。
【００４６】
この抵抗値は、交換レンズ装着時に/MIFON端子4aに入力される電圧が交換レンズを装着検出できる電圧、すなわちVILよりも低くなるような特徴を持つ。また、交換レンズ2側のMIF端子3eとGND端子3f間の抵抗R2を、マウント3の構成を持つカメラ1のうち、/MIFON端子4aが交換レンズ2の装着検知可能な抵抗値である特徴を持つ。これにより、第二の通信モード対応可能な交換レンズ2を、第二の通信モードに対応していないカメラ1へ装着しても、カメラ1は交換レンズ2の装着を検出できる。
【００４７】
本実施例では、VIL≦1.2Vとし、R2=3.3kΩと定義する。MIF端子3eの信号ラインのプルアップ電源をVDDとし、VDD=3.3Vと定義すると、MIF端子の信号ラインの電圧V(MIF)は、V(MIF)=VDD×R2/(R1+R2)より、V(MIF)≒0.82Vとなる。これにより、第二の通信モード対応の交換レンズ2を装着しても、/MIFON端子4aはLレベルを検出可能である。S401で、カメラマイコン1は、MIF_MON端子4bに入力されるV(MIF)の電圧をADし、その値が第二の通信モード対応の交換レンズであると判別される閾値であるVth以上か否かを判別する。
【００４８】
ここでVthは、前記第二のレンズ装着時のV(MIF)に比べ十分小さい値である事を特徴とする。また、MIF端子3eのプルアップ抵抗であるR1の定義を、マウント3の構成を持つカメラ1のうち、最大となる抵抗値で、Vthを決定している。第二の通信モードを判別可能な本構成を持つカメラ1において、第二の通信モードが対応可能か否かを判別する事ができる。本実施例ではVth=0.5Vと定義する。
【００４９】
S401で、カメラマイコン1は、V(MIF)がVth以上であると判別した時、S402でカメラマイコン1は、装着された交換レンズ2が第二の通信モード対応レンズであると認識する。その後、一時変数で保持している第二の通信モード対応レンズ判別用のフラグを1に設定し、前述したS106の判定時にこのフラグを参照する。
【００５０】
一方、S401で、カメラマイコン1は、V(MIF)がVth未満であると判別した時、S403でカメラマイコン１は、装着された交換レンズ2が第一の通信モードにのみ対応するレンズと認識する。
【００５１】
以上が、本発明の実施例における、カメラ1に装着された交換レンズ2の種類判別の説明である。
【００５２】
上述したように、本実施例では、第二の通信モード対応の交換レンズ2側のMIF端子と3eとGND端子3f間に抵抗を配置する事を特徴している。
【００５３】
この構成おいて、カメラ1に装着した時の、MIF端子の電圧をカメラマイコン4が検出する事で、レンズ種類判別専用の端子を新たに設ける必要がなく、従来のマウント3との互換性を維持したまま、第二の通信モードに対応した交換レンズ2を判別する事ができる。
【００５４】
［実施例2］
実施例１では、MIF端子3eとGND端子3f間の抵抗値の違いによって、交換レンズ装着時のMIF端子3eの電圧レベルを第一の通信モード対応レンズと、第二の通信モード対応レンズで区別し、交換レンズ2を判別する方法について述べてきた。
【００５５】
しかしながら、入力端子である/MIFON端子4aへの入力電圧が、中間電位に近くなるほど、カメラマイコン内部への貫通電流が流れる可能性や、外部ノイズ等により誤動作（誤って入力レベルがHレベルと認識されてしまうなど）する可能性が高まる。
【００５６】
そこで本実施例では、中間電位に近い電位となる区間を短くする例について述べる。なお、本実施例では実施例１と共通する部分については、説明を省略し、本実施例に特有の部分を中心に説明する。
【００５７】
本実施例においては、実施例１と同様に、図２のようなフローチャートでカメラ1に交換レンズ2が装着された時の通信開始までの処理が行われる。また、図４のようなフローチャートで、レンズ種類判別が行われる。
【００５８】
本実施例における、第二の通信モードで通信可能な交換レンズ２は図１に示すような、切替部13を持ち、切替部13は例えば、MOSFETで構成され、レンズマイコン8の出力端子により、オン／オフが制御される。本MOSFETのオン時のオン抵抗は、最大0.2Ωであり、R2=3.3kΩに比べ、十分小さい。また、切替部13はレンズ電源未投入時はオフであり、レンズ電源投入後もレンズマイコン8が制御するまではオフである。
【００５９】
次に、図５を用いて、切替部13の制御によるMIF端子抵抗の切り替え動作の説明を行う。図５は交換レンズ2のMIF端子抵抗切替動作を示すフローチャートである。このフローチャートに示される処理は、レンズマイコン8にレンズ電源生成部から電圧が印加され、レンズマイコンのリセットが解除され、初期化処理が終わった後に開始される。
【００６０】
Ｓ５０１でレンズマイコン８はカメラマイコン４からの通信待ちを行い、レンズマイコン８がカメラマイコン４からの通信を受け取った後、Ｓ５０２へ進む。Ｓ５０２で、レンズマイコン8は切替部13を制御する出力端子の信号をHレベルとし、切替部をオンさせる。
【００６１】
以上が、本発明の実施例における、カメラ1に装着された交換レンズ2の種類判別の説明と通信開始後のレンズのMIF端子3eの抵抗切替方法である。
【００６２】
上述したように、本実施例では、第二の通信モード対応の交換レンズ2側のMIF端子と3eとGND端子3f間に抵抗を配置する事を特徴している。
【００６３】
この構成おいて、カメラ1に装着した時の、MIF端子の電圧をカメラマイコン4が検出する事で、レンズ種類判別専用の端子を新たに設ける必要がなく、従来のマウント3との互換性を維持したまま、第二の通信モードに対応した交換レンズ2を判別する事ができる。
【００６４】
さらに、交換レンズ2の種類判別後に、レンズマイコン８は切替部13をオンさせて、交換レンズ2側MIF端子3eとGND端子3f間の抵抗値を下げる事を特徴としている。これによって、MIF端子3eが中間電位となる区間を短くする事ができ交換レンズ装着誤動作及びカメラマイコン入力端子の貫通電流発生の懸念を低減する事ができる。
【符号の説明】
【００６５】
１  カメラ
２  交換レンズ
３  マウント
４  カメラマイコン
５  カメラ電源生成部
６  電源供給部
７  レベルシフタ部（カメラ側）
８  レンズマイコン
９  レンズ電源生成部
１０  レベルシフタ部（レンズ側）
１１  電圧検出部
１２  電流測定部
１３  切替部
【図１（Ａ）】
2018101079.tif 000004
【図１（Ｂ）】
2018101079.tif 000005
【図２】
2018101079.tif 000006
【図３】
2018101079.tif 000007
【図４】
2018101079.tif 000008
【図５】
2018101079.tif 000009